(57)【特許請求の範囲】
【請求項１】
第１表示意匠を備える文字盤と、
第２表示意匠を備え且つ前記文字盤の前面側に重ねて配置された装飾部材と、
前記第１表示意匠および前記第２表示意匠を透過照明するための光源とを備えた車両用計器であって、
前記装飾部材は、透光性材質からなり前記第２表示意匠が形成された基材と、該基材の前面且つ前記第２表示意匠の前面を除いた部分に前記基材側から順番に積層されたプライマ層および金属被膜から構成され、
前記文字盤の前面側且つ前記装飾部材と重なる部分には、前面側から順番に透光性明色着色層および遮光性着色層が重ねて積層され且つ前記遮光性着色層は視認方向において前記第２表示意匠と対向する部分を除いて施されたことを特徴とする車両用計器。
【請求項２】
前記金属被膜の表面にトップコート層を形成したことを特徴とする請求項１に記載の車両用計器。
【請求項３】
前記装飾部材は環状に形成されたことを特徴とする請求項１または請求項２に記載の車両用計器。
【請求項４】
前記装飾部材の外周にリング部材が前記装飾部材に密着して配置されたことを特徴とする請求項３に記載の車両用計器。
【請求項５】
前記金属被膜はアルミ蒸着膜であることを特徴とする請求項１ないし請求項４のいずれかに記載の車両用計器。
【発明の詳細な説明】
【技術分野】
【０００１】
本発明は、たとえば自動車に搭載されて各種情報を表示する車両用計器に関するものである。
【背景技術】
【０００２】
従来の車両用計器としては、たとえば、第１の表示部を備えた板状の板部材と、第２の表示部を備え板部材の外縁に取り付けられた枠部材とを備え、枠部材は導光材料からなりその表面に沿って複数の凹溝が形成されるとともに表面に金属層が積層されている。そして第２の表示部である外縁目盛の表面は金属層が無く透明状態であり、この外縁目盛が背後の光源からの光により透過照明される構成のものがある（特許文献１参照）。
【０００３】
このような構成により、文字盤に金属質感を付与して視認者に高級感を感じさせるとともに、第２表示部を発光表示させることにより計器としての視認性向上を狙っている。
【特許文献１】特開２００３−４４９５号公報
【発明の開示】
【発明が解決しようとする課題】
【０００４】
従来の車両用計器において、枠部材表面への金属層形成は、たとえばアルミ蒸着等によって行われる。樹脂表面にアルミ蒸着層を形成する場合、樹脂表面にアルミが蒸着されない部分、いわゆるピンホールが発生することがある。ピンホールの大きさは大体数十ミクロンであり人の眼では見えない。しかし、枠部材の背後から光源の光により照射されると、その光がピンホールを通過して出射され視認される。これにより、本来発光表示される第２の表示部以外の部分からも発光し、車両用計器の見映えが低下する可能性がある。
【０００５】
この対策として、たとえば、アルミ蒸着層形成処理が終了した枠部材に対してピンホール有無の検査を実施して、ピンホールの無い良品を選別する方法が考えられるが、一般的にピンホールが有る確率、すなわち不良率が高く、工数増大、コスト増大を招く。また、別の方法として、アルミ蒸着層形成処理時間を長くすることが考えられる。この場合、ピンホール発生確率が低下するものの、アルミ蒸着層厚さが増して枠部材に形成された凹溝が埋まり明確に視認されなくなって見映えが低下し、コストも増大する。
【０００６】
また、上述の、特開２００３−４４９５号公報に開示される車両用計器には、ピンホールによる見映え低下の対策方法に関する記載はない。
【０００７】
本発明は、上記の問題点に鑑みなされたもので、表面に金属層を有し且つ透過照明される表示意匠を備える装飾部材の構成に工夫を凝らして、表示意匠以外の金属層から光が漏れず良好な見映えが得られる車両用計器を提供することを目的とする。
【課題を解決するための手段】
【０００８】
本発明は上記目的を達成する為、以下の技術的手段を採用する。
【００１３】
本発明の請求項１に記載の車両用計器は、第１表示意匠を備える文字盤と、第２表示意匠を備え且つ文字盤の前面側に重ねて配置された装飾部材と、第１表示意匠および第２表示意匠を透過照明するための光源とを備えた車両用計器であって、装飾部材は、透光性材質からなり第２表示意匠が形成された基材と、該基材の前面且つ第２表示意匠の前面を除いた部分に基材側から順番に積層されたプライマ層および金属被膜から構成され、文字盤の前面側且つ装飾部材と重なる部分には、前面側から順番に透光性明色着色層および遮光性着色層が重ねて積層され且つ遮光性着色層は視認方向において第２表示意匠と対向する部分を除いて施されたことを特徴としている。
【００１４】
一般に、樹脂表面に金属被膜、たとえばアルミ蒸着層を形成する場合、樹脂表面へのアルミ蒸着層の密着力を高めるために、予め樹脂表面に塗料のような液体であるプライマを塗布してプライマ層を形成している。このプライマ層は透光性を有するため、枠部材背後から照射された光源からの光は、プライマ層を透過しピンホールを通過して視認者側に出射して視認される。
【００１５】
これに対して、本発明の請求項１に記載の車両用計器においては、装飾部材の基材表面に先ず遮光性着色層を形成し、その上にプライマ層を重ねて形成し、さらにその上に金属被膜を形成している。これにより、装飾部材背後から照射された光源からの光は、遮光性着色層で遮断されるため、金属被膜にピンホールがあってもそこを通過して視認者側に出射して視認されることがない。
【００１６】
したがって、表示意匠以外の金属層から光が漏れず良好な見映えが得られる車両用計器を提供することができる。
【００１７】
本発明の請求項２に記載の車両用計器は、金属被膜の表面にトップコート層を形成したことを特徴としている。
【００１８】
このような構成によれば、金属被膜の表面をトップコート層で覆うことにより、金属被膜表面を空気から遮断して金属被膜表面が酸化する、あるいは他の物質が付着して化合物を形成する等して金属被膜表面の見映えが低下することを防止することができる。
【００１９】
本発明の請求項３に記載の車両用計器は、装飾部材は環状に形成されたことを特徴としている。
【００２０】
計器が指針計器である場合、装飾部材を環状に形成し且つ指針の回転軸と同軸上に配置すれば、装飾部材による見映え向上効果を高めることができる。
【００２１】
本発明の請求項４に記載の車両用計器は、装飾部材の外周にリング部材が装飾部材に密着して配置されたことを特徴としている。
【００２２】
装飾部材の基材は、一般的には樹脂材料を成型加工して作られる。基材は、プライマ層、金属被膜等を形成する各工程において治具により保持される。装飾部材の表面が治具により損傷を受けないように、基材に治具により保持するための保持部を形成している。保持部は、通常は基材の外周側に設けられるが、装飾部材を文字盤の上面に重ねて配置する構成では、保持部が見えて、車両用計器の見映えが低下する可能性がある。
【００２３】
そこで、本発明の請求項４に記載の車両用計器のような構成とすれば、リング部材により装飾部材における保持部を覆い視認者の視線から隠して、良好な見映えの車両用計器を提供することができる。
【００２４】
本発明の請求項５に記載の車両用計器は、金属被膜はアルミ蒸着膜であることを特徴としている。
【００２５】
アルミ蒸着膜は、比較的容易に形成できるとともに、良好な見映えが得られるので、本発明における金属被膜として用いて好適である。
【発明を実施するための最良の形態】
【００２６】
以下、本発明による車両用計器を、自動車の車室内に設置されたコンビネーションメータ１００が備えるタコメータＴに適用した場合を例に図面に基づいて説明する。
【００２７】
図１は、本発明の一実施形態による車両用計器であるタコメータＴが搭載されたコンビネーションメータ１００の部分正面図であり、タコメータＴ部を示している。図１において、上方が自動車の上方であり、左右方向が自動車の幅方向となっている。
【００２８】
図２は、図１中のＩＩ−ＩＩ線断面図である。なお、図２において、左方が運転席であり、コンビネーションメータ１００は、図２の左側から視認される。
【００２９】
図３は、本発明の一実施形態によるタコメータＴの文字盤２の斜視外観図である。
【００３０】
図４は、図１中のＩＶ−ＩＶ線断面図である。
【００３１】
図５は、本発明の一実施形態によるタコメータＴが備える目盛リング１の製造工程途中品の断面図である。
【００３２】
図６は、本発明の一実施形態によるタコメータＴの電気回路構成を説明する模式図である。
【００３３】
コンビネーションメータ１００は、当該自動車の車室内の運転席前方に運転者が視認可能に設けられ、当該自動車の作動状態に関する情報（エンジン回転速度、走行速度、エンジン冷却水温度等）およびその他の各種情報を表示している。
【００３４】
タコメータＴは、当該自動車のエンジンの回転速度を表示するもので、指針８の回転角度位置により物理量の大きさを指示する、いわゆる指針計器である。
【００３５】
タコメータＴの構成について以下に説明する。
【００３６】
文字盤２は、透光性材質、たとえば無色透明のポリカーボネート樹脂あるいはアクリル樹脂等の薄板からなる基板２ａから形成されている。文字盤２は、計器であるタコメータＴの第１表示意匠である文字２ｂを備えている。
【００３７】
文字２ｂは、基板２ａの表面に施された透光性着色層２ｃにより形成されている。すなわち、図３に示すように、基板２ａの全ての文字２ｂを包含する部分に透光性着色層２ｃを施し、この透光性着色層２ｃの上から各文字２ａの周囲部分、つまり文字２ａの輪郭の外側部分に遮光性着色層２ｄを施している。この遮光性着色層２ｄは、文字盤２の全域に亘って施されている。本発明の一実施形態によるタコメータＴにおいては、透光性着色層２ｃは白色、遮光性着色層２ｄは黒色である。透光性着色層２ｃおよび遮光性着色層２ｄは印刷あるいはホットスタンプを施して形成されている。これにより、文字盤２背後に配置された光源である発光ダイオード４からの光に照射されると、文字２ａは黒色を背景として発光ダイオード４の発光色で発光表示される。
【００３８】
文字盤２の前面側、つまり図２において左側には、後述する装飾部材である目盛リング１が文字盤２に重ねて配置されている。文字盤２の目盛リング１が重ねられる部分、すなわち、図４において２つの二点鎖線で挟まれた部分においては、視認方向において目盛リング１が備える大目盛１ａおよび小目盛１ｂに対応した部分、すなわち図１において大目盛１ａおよび小目盛１ｂと重なる部分には、図３および図４に示すように、遮光性着色層２ｄが設けられずに透明状態となっている透明部Ｓが形成されている。これにより、文字盤２背後に配置された発光ダイオード４からの光は、文字盤２のこれらの透明部Ｓを透過して目盛リング１内に入射することができる。
【００３９】
文字盤２は、図２に示すように、その中央部に、後述するムーブメント７のシャフト７ａあるいは指針８のボス部８ａを挿通させるための貫通孔２ｅを備えている。
【００４０】
装飾部材である目盛リング１は、透光性材質、たとえば無色透明のアクリル樹脂等から成型加工された基材１ｃにより構成されている。基材１ｃの前面側（視認者側、図２において左側）には、図２に示すように、大目盛１ａおよび小目盛１ｂが突起状に形成されている。目盛リング１は、図２に示すように、文字盤２の直上に重ねて配置されている。大目盛１ａは、図１に示すように、１０００ｒｐｍ毎に、小目盛１ｂは２００ｒｐｍ毎に、それぞれ設けられている。
【００４１】
目盛リング１の表面には、大目盛１ａおよび小目盛１ｂの前面（視認者側の面、図２において左側の面）を除く部分に、金属被膜であるアルミ蒸着膜が形成されている。このため、目盛リング１ｃは、大目盛１ａおよび小目盛１ｂの前面が透明のままであり、これらを除いた表面全域がアルミの金属調の見映えとなっている。つまり、大目盛１ａおよび小目盛１ｂの前面が透明で、それ以外の表面は遮光性を備えている。したがって、文字盤２背後に配置された光源である発光ダイオード４からの光が、大目盛１ａおよび小目盛１ｂに対応して形成された文字盤２の透明部Ｓを透過して目盛リング１内に入射すると、大目盛１ａおよび小目盛１ｂはこの光により透過照明されてアルミの金属色を背景として発光表示される。
【００４２】
目盛リング１の基材１ｃには、詳しくは、図４、図５に示すように、基材１ｃ側から順番に、プライマ層１ｄ、アルミ蒸着膜１ｅ、トップコート層１ｆが積層されている。
【００４３】
プライマ層１ｄは、アルミ蒸着膜１ｅの基材１ｃへの食い付き性、つまり密着性を高める役割を果たしている。プライマ層１ｄは、ほぼ無色透明である。
【００４４】
トップコート層１ｆは、無色透明または薄色着色の塗料を塗布して形成され、アルミ蒸着膜１ｃの表面を保護する役割を果たしている。
【００４５】
目盛リング１は、図２に示すように、文字盤２の前面側（視認者側、図２において左側）に文字盤２に重ねて配置されている。目盛リング１は、図１に示すように、後述する指針８の回動中心と同軸上に配置されている。
【００４６】
目盛リング１の外周には、図１に示すように、リング部材である加飾リング３が配置されている。加飾リング３は、たとえば樹脂材料から環状に成型されている。加飾リング３は、図２に示すように、目盛リング１の保持部１ｈに組み合わせ、熱かしめ等で固定される。加飾リング３は、金属調等の塗装が施されており、目盛リング１の金属調外観との見映えを合わせてある。
【００４７】
文字盤２の裏側（図２において右側）には、図２に示すように、文字盤２の文字２ａ、および目盛リング１の大目盛１ａおよび小目盛１ｂを透過照明するための光源である発光ダイオード４が配置されている。本発明の一実施形態によるタコメータＴにおいては、発光ダイオード４は、白色発光ダイオードが用いられている。発光ダイオード４は、図２に示すように、文字盤２の背後に配置されたプリント基板６上に実装されている。
【００４８】
文字盤２と発光ダイオード４と間には、図２に示すように、導光板５が配置されている。導光板５は、透光性材質、たとえば無色透明のポリカーボネート樹脂あるいはアクリル樹脂等から成型され、図１に示すように、略Ｃ字状に形成されて、文字盤２の裏面に密着して固定されている。導光板５は、図２に示すように、光入射部５ａを備え、この光入射部５ａに発光ダイオード４が発する光が入射する。導光板５は、発光ダイオード４が発する光をその内部で反射を繰り返しつつ進行させて、文字盤２に密着している面全域が均一な明るさで文字盤２を照射している。
【００４９】
文字盤２の裏側（図２において右側）には、図２に示すように、タコメータＴの電気回路部を形成しているプリント基板６が配置されている。
【００５０】
プリント基板６は、たとえばガラスエポキシ基材等からなり、大目盛１ａ、小目盛１ｂおよび文字２ａを透過照明するための発光ダイオード４、後述する指針８を照明するための発光ダイオード９が実装されている。プリント基板６は、タコメータＴのみならず、コンビネーションメータ１００全体の電気回路部を形成している。
【００５１】
プリント基板６には、指針８を回動させるためのムーブメント７が実装されている。ムーブメント７は、たとえば交差コイル式アクチュエータあるいはステッピングモータ等が用いられている。ムーブメント７は、外部から電圧を印加されるとトルクを発生し回転軸であるシャフト７ａを回動させる。シャフト７ａは、その先端が、図２に示すように文字盤２の表面側（図２の左側）に延出されている。シャフト７ａの先端には、指針８が固定されている。
【００５２】
指針８は、透光性材料、たとえば無色透明のポリカーボネート樹脂あるいはアクリル樹脂等から形成され、図２に示すように、文字盤２の表面に沿って配置されている。指針８は、ムーブメント７が駆動されてシャフト７ａが回動すると、シャフト７ａと一体的に回動する。また、指針８の裏面８ｂには、印刷あるいはホットスタンプ等に着色（たとえば赤色）されている。指針８に入射した発光ダイオード９から発せられた光は、指針８の反射面８ｃで指針８の先端方向に向けて反射され、さらにこの反射光が裏面８ｂで運転者の視認方向に反射される。本発明の一実施形態によるタコメータＴにおいては、発光ダイオード９として白色発光ダイオードが用いられている。したがって、指針８は、赤色で発光表示される。
【００５３】
文字盤２とプリント基板６との間には、図２に示すように、遮光筒部１１ａが配置されている。遮光筒部１１ａは略円筒状に形成されて発光ダイオード９を覆うように配置され、発光ダイオード９が発する光が指針８以外の方向に漏れることを防止している。遮光筒部１１ａは、後述するケーシング１１と一体的に設けられている。
【００５４】
本発明の一実施形態によるタコメータＴにおいては、発光ダイオード９として白色発光ダイオードを用いることにより、指針８を、指針８の裏面８ｂに施した着色層の色で発光表示している。したがって、裏面８ｂに施す着色層の色を赤色に限定する必要はなく、他の色、たとえば、橙色、緑色等に着色してもよい。一方、指針８の裏面８ｂに白色着色層または銀色着色層を設けるとともに、発光ダイオード９として発光色が白以外の色の発光ダイオードを用いてもよい。この場合は、指針８は、発光ダイオード９の発光色により発光表示される。
【００５５】
また、指針８には、指針８の反射面８ｃおよびその近傍を覆う遮光キャップ１０が、図２に示すように取り付けられている。遮光キャップ１０は、遮光性を有する材質、たとえば黒色の樹脂材料あるいは金属等から形成され、発光ダイオード６からの光が、直接視認者の眼に入射して視認者が眩惑されることを防止している。
【００５６】
プリント基板６には、図２に示すように、発光ダイオード４および発光ダイオード９の点灯・消灯制御およびムーブメント７の駆動制御を行うためのコントローラ１５が実装されている。このコントローラ１５は、たとえばマイクロコンピュータ等から構成されている。
【００５７】
以上説明した、目盛リング１、文字盤２およびプリント基板６等は、ケーシング１１内に収容・固定されている。ケーシング１１は、たとえば樹脂材料等から形成されている。一方、文字盤２の前面側（図２において左側）には、略枠状の見返し板１３が装着されている。見返し板１３は、たとえば樹脂材料から形成されている。見返し板１３の視認者側端部には、図２に示すように、カバー１２が装着されている。カバー１２は、透光性を有する樹脂あるいはガラス等の薄板から形成されている。見返し板１３をおよびカバー１２は、コンビネーションメータ１００の見映えを整えるとともに、コンビネーションメータ１００内部への埃、水分の侵入を防止している。
【００５８】
一方、ケーシング１１の背後には、図２に示すように、ロアカバー１４が装着されている。ロアカバー１４は、たとえば樹脂材料から形成されている。
【００５９】
次に、本発明の一実施形態によるタコメータＴの電気回路構成について、図６に基づいて説明する。
【００６０】
図６に示すように、コントローラ１５には、バッテリ１７から電力が常時供給されている。また、コントローラ１５は、イグニッションスイッチ１６が、その作動状態（ＯＮまたはＯＦＦ）を検出可能に接続されている。
【００６１】
コントローラ１５には、図６に示すように、発光ダイオード４、発光ダイオード９およびムーブメント７が接続されている。
【００６２】
コントローラ１５には、図６に示すように、自動車のエンジン回転速度検出用の回転センサ１８が検出信号を入力可能に接続されている。回転センサ１８は、たとえば、電磁ピックアップ型が用いられており、エンジンのカムシャフト（回転速度がエンジンのクランクシャフトの回転速度の１／２）の回転数を検出可能に設置されている。
【００６３】
運転者の操作によりイグニッションスイッチ１６がＯＮ状態に切り替えられると、コントローラ１５はそれを検知して、コンビネーションメータ１００の作動を開始、すなわちタコメータＴの作動を開始する。先ず、発光ダイオード４、９を点灯させる。同時に、回転センサ１８からの検出信号に基づいてエンジンの回転速度を算出し、算出した走行速度を指針８が文字盤２上に指示するようにムーブメント７を駆動する。これにより、文字盤２上で、大目盛１ａ、小目盛１ｂおよび文字２ａが白色で、指針８が赤色でそれぞれ発光表示されるとともに、指針８がムーブメント７により回動されてエンジンの回転速度を指示する。
【００６４】
運転者の操作によりイグニッションスイッチ１６がＯＦＦ状態に切り替えられると、コントローラ１５はそれを検知して、コンビネーションメータ１００の作動を停止する。すなわち、発光ダイオード４、９を消灯させる。同時に、指針８が文字盤２上において速度０ｒ／ｍｉｎ（ｒｅｖｏｌｕｔｉｏｎ  ｐｅｒ  ｍｉｎｕｔｅ、毎分回転数）を指示するようムーブメント７を駆動する。あるいは、ムーブメント７への通電を停止する。ムーブメント７への通電を停止した場合は、ムーブメント７のシャフト７ａは、リターンスプリング（図示せず）の弾性力等により指針８が０ｒ／ｍｉｎを指示する位置まで回転する。
【００６５】
次に、本発明の一実施形態によるタコメータＴの特徴である目盛リング１の製造方法について簡単に説明する。
【００６６】
先ず、透光性材質、たとえば無色透明のアクリル樹脂等から成型加工により基材１ｃを形成する。
【００６７】
次に、基材１ｃの表面側に、図５に示すように、プライマを塗布してプライマ層１ｄを形成する。続いて、その上にアルミニウム蒸着処理を施してアルミ蒸着膜１ｅを形成する。続いて、その上にトップコートを塗布してトップコート層１ｆを形成する。
【００６８】
最後に、大目盛１ａおよび小目盛１ｂ部の先端部分、すなわち図５中の二点鎖線よりも上の部分を除去して基材１ｃの表面を露出させる。この結果、大目盛１ａおよび小目盛１ｂが透明状態となる。この除去作業は、切削加工、研磨加工等により実施される。
【００６９】
以上により、目盛リング１が完成する。
【００７０】
次に、本発明の一実施形態によるタコメータＴの特徴である目盛リング１および文字盤２の構成による作用効果および加飾リング３の作用効果、特に視認性におよぼす効果について説明する。
【００７１】
樹脂表面にアルミニウムを蒸着させてアルミ蒸着膜を形成する場合、樹脂表面にアルミが蒸着されない部分、いわゆるピンホールが発生することがある。このピンホールの大きさは大体数十ミクロンであり人の眼では見えない。
【００７２】
ところで、樹脂部材の表面にアルミニウム蒸着処理を施し且つ樹脂表面の一部を透明な状態として計器の表示意匠を形成し、この表示意匠を背後の光源により透過照明する構成の車両用計器において、アルミ蒸着層にピンホールが有ると、ピンホール部分は光を透過するので、ピンホールを透過した光が視認されてしまう。すなわち、本来発光表示される表示意匠のほかにピンホール部が発光するため、車両用計器の見映えが低下する可能性がある。
【００７３】
これに対して、本発明の請求項１に記載のタコメータＴでは、文字盤２の目盛リング１が重ねられる部分、すなわち環状部分に遮光性着色層２を設け、且つ視認方向において目盛リング１が備える大目盛１ａおよび小目盛１ｂに対応した部分、すなわち図１において大目盛１ａおよび小目盛１ｂと重なる部分には、図３に示すように、遮光性着色層２ｄを設けずに透明状態としている。
【００７４】
このため、文字盤２のこれらの透明部Ｓを透過して目盛リング１内に入射した発光ダイオード４からの光は、大目盛１ａおよび小目盛１ｂのみを照射し、大目盛１ａおよび小目盛１ｂ以外の部分を照射しない。したがって、たとえ目盛リング１のアルミ蒸着膜１ｅにピンホールがあっても、ピンホール部分には発光ダイオード４からの光が入射せず、ピンホールが発光し視認されることがない。
【００７５】
以上により、たとえ目盛リング１のアルミ蒸着膜１ｅにピンホールがあっても、そこから光が漏れることを阻止して良好な見映えが得られるタコメータＴを提供することができる。
【００７６】
なお、目盛リング１を上述した構成とすることにより、ピンホールが有ってもそこから光が漏れることを阻止することができるので、目盛リング１の製造工程における不良率、すなわちピンホールがあるために不良品となる割合を低減する、言い換えると目盛リングの歩留まりを高めることができる。
【００７７】
ところで、目盛リング１の基材１ｃにプライマ層１ｄ、アルミ蒸着膜１ｅおよびトップコート層１ｆを形成する各工程において、基材１ｃを治具により保持する必要がある。しかし、タコメータＴの完成状態において目盛リング１の外表面となる部分、つまり運転者から見える部分は、傷等を防止するために保持することができない。そこで、予め基材１ｃに外周側へ突出する保持部１ｈを設けておき、上述の各工程では保持部１ｈを保持している。しかしながら、このままでは、目盛リング１外周壁面の保持部１ｈが視認されて、タコメータＴの見映えが低下する。
【００７８】
そこで、目盛リング１の保持部１ｈに組み合わせて加飾リング３を配置すれば、上述した保持部１ｈを隠してタコメータＴの見映えを良好なものにすることができる。
【００７９】
図７に、本発明の一実施形態の変形例によるタコメータＴの断面図を示す。図７は、図１中のＩＶ−ＩＶ線断面図に相当する。
【００８０】
本発明の一実施形態によるタコメータＴにおいては、文字盤２の目盛リング１が重ねられる部分に施した遮光性着色層として、文字盤２の背景部分に施された黒色の遮光性着色層２ｄを用いている。
【００８１】
この変形例によるタコメータＴにおいては、文字盤２の目盛リング１が重ねられる部分に施した遮光性着色層として、黒色の遮光性着色層２ｄに替えて、図７に示すように、白色の遮光性着色層２ｆを採用している。
【００８２】
この変形例においても、前述の本発明の一実施形態によるタコメータＴの場合と同様に、文字盤２の透明部Ｓを透過して目盛リング１内に入射した発光ダイオード４からの光は、大目盛１ａおよび小目盛１ｂのみを照射し、大目盛１ａおよび小目盛１ｂ以外の部分を照射しない。したがって、たとえ目盛リング１のアルミ蒸着膜１ｅにピンホールがあっても、ピンホール部分には発光ダイオード４からの光が入射せず、ピンホールが発光し視認されないので、良好な見映えが得られるタコメータＴを実現できる。
【００８３】
さらに、この変形例においては、文字盤２の目盛リング１が重ねられる部分において、透明部Ｓではなく遮光性着色層２ｆに入射した発光ダイオード４からの光が、図７中の矢印で示すように進行して、遮光性着色層２ｆと文字盤２の基板２ａの表面間で反射を繰り返した後に透明部Ｓから目盛リング１に向けて出射する。これにより、大目盛１ａおよび小目盛１ｂを透過照明する光量を増大させて大目盛１ａおよび小目盛１ｂの発光輝度を高めることができる。
【００８４】
なお、この変形例においては、遮光性着色層２ｆを白色としているが、白色に限る必要は無く、遮光性且つ光反射率の高い層であればよい。たとえば銀色、淡黄色等であってもよい。
【００８５】
図８に、本発明の一実施形態における他の変形例によるタコメータＴの断面図を示す。図８は、図１中のＩＶ−ＩＶ線断面図に相当する。
【００８６】
この他の変形例においては、前述の変形例に対して、白色の遮光性着色層２ｆの上に、図８に示すように、黒色の遮光性着色層２ｄを重ねて施している。
【００８７】
これにより、発光ダイオード４からの光が、万が一白色の遮光性着色層２ｆに斑等があって透過することがあっても、その光を確実に遮って目盛リング１に入射することを防止できる。
【００８８】
図９に、本発明の一実施形態における他の変形例によるタコメータＴの断面図を示す。図９は、図１中のＩＶ−ＩＶ線断面図に相当する。
【００８９】
この他の変形例においては、文字盤２の目盛リング１が重ねられる部分の全域に、図９に示すように、透光性着色層２ｇを施し、この上から、視認方向において大目盛１ａおよび小目盛１ｂに対応した部分を除いて黒色の遮光性着色層２ｄを重ねて施している。
【００９０】
この場合、発光ダイオード４からの光は、透光性着色層２ｇを透過した後大目盛１ａおよび小目盛１ｂに入射する。すなわち、後大目盛１ａおよび小目盛１ｂに入射する光は、透光性着色層２ｇの色に着色されている。
【００９１】
したがって、透光性着色層２ｇの色を適宜選択することにより、後大目盛１ａおよび小目盛１ｂの発光色を所望の色に設定することができる。
【００９２】
なお、以上説明した、本発明の一実施形態、その変形例および他の変形例によるタコメータＴの文字盤２においては、文字２ｂを透光性白色に着色しているが、白色に限る必要は無く、透光性であれば他の色を用いてもよい。
【００９３】
また、以上説明した、本発明の一実施形態、その変形例および他の変形例によるタコメータＴでは、目盛リング１に施す金属被膜をあるアルミ蒸着膜１ｅとしているが、他の金属被膜であってもよい。たとえば、クロムめっき膜であってもよい。
【００９４】
また、以上説明した、本発明の一実施形態、その変形例および他の変形例によるタコメータＴでは、光源である発光ダイオード４の発光色を白色としているが、白色に限る必要はなく、白以外の発光色の発光ダイオードを用いてもよい。その場合、大目盛１ａ、小目盛１ｂは、発光ダイオードの発光色で発光表示される。
【００９５】
また、以上説明した、本発明の一実施形態、その変形例および他の変形例によるタコメータＴにおいては、大目盛１ａ、小目盛１ｂ照明用光源として発光ダイオード４を用いているが、他の種類の光源、たとえば電球、放電等あるいはＥＬパネル等に置き換えてもよい。
【００９６】
また、以上説明した実施形態はコンビネーションメータ１００のタコメータＴを例に説明してきたが、タコメータＴに限る必要は無く、他の種類の計器、たとえば、当該自動車の走行速度を指示する速度計、燃料タンク内の残存燃料量を指示する燃料計、エンジン冷却水温度を指示する水温計等に適用してもよい。また、一つのコンビネーションメータ１００内に計器を複数個備え、各計器に、以上説明した実施形態の構成による目盛リング１を備えてもよい。
【図面の簡単な説明】
【００９７】
【図１】本発明の一実施形態によるタコメータＴを備えたコンビネーションメータ１００の部分正面図である。
【図２】図１中のＩＩ−ＩＩ線断面図である。
【図３】本発明の一実施形態によるタコメータＴの文字盤２の斜視外観図である。
【図４】図１中のＩＶ−ＩＶ線断面図である。
【図５】本発明の一実施形態によるタコメータＴにおける目盛リング１の製造工程途中品の断面図である。
【図６】本発明の一実施形態によるタコメータＴの電気回路構成を説明する模式図である。
【図７】本発明の一実施形態の変形例によるタコメータＴの断面図であり、図１中のＩＶ−ＩＶ線断面図に相当する。
【図８】本発明の一実施形態における他の変形例によるタコメータＴの断面図であり、図１中のＩＶ−ＩＶ線断面図に相当する。
【図９】本発明の一実施形態における他の変形例によるタコメータＴの断面図であり、図１中のＩＶ−ＩＶ線断面図に相当する。
【符号の説明】
【００９８】
１ 目盛リング（装飾部材）
１ａ 大目盛（第２表示意匠）
１ｂ 小目盛（第２表示意匠）
１ｃ 基材
１ｄ プライマ層
１ｅ アルミ蒸着膜（金属被膜）
１ｆ トップコート層
１ｇ 黒色塗膜（遮光性着色層）
１ｈ 保持部
２ 文字盤
２ａ 基板
２ｂ 文字（第１表示意匠）
２ｃ 透光性着色層（透光性）
２ｄ 遮光性着色層（遮光性処理）
２ｅ 貫通孔
２ｆ 遮光性着色層（遮光性処理）
２ｇ 透光性着色層（透光性）
３ 加飾リング（リング部材）
４ 発光ダイオード（光源）
５ 導光板
６ プリント基板
７ ムーブメント
７ａ シャフト
８ 指針
８ａ ボス部
８ｂ 裏面
８ｃ 反射面
９ 発光ダイオード
１０ 遮光キャップ
１１ ケーシング
１１ａ 遮光筒部
１２ 透明カバー
１３ 見返し板
１４ ロアカバー
１５ コントローラ
１６ イグニッションスイッチ
１７ バッテリ
１８ 回転センサ
１００ コンビネーションメータ
Ｓ 透明部
Ｔ タコメータ
【図１】
0004665804.tif 000002
【図２】
0004665804.tif 000003
【図３】
0004665804.tif 000004
【図４】
0004665804.tif 000005
【図５】
0004665804.tif 000006
【図６】
0004665804.tif 000007
【図７】
0004665804.tif 000008
【図８】
0004665804.tif 000009
【図９】
0004665804.tif 000010